(57)【特許請求の範囲】
【請求項１】
靴底とストラップからなるサンダルであり、
前記靴底はクリートを取りつけるためのクリート取付孔を有し、
前記クリート取付孔の近傍部分は、
前記靴底の中央前方にあり前記靴底の靴底面より凹んであり、前記クリート取付孔は列状であり、
前記クリート取付孔の孔列は２列であり、
前記靴底の前端から前記孔列前後方向の中心点までの距離を前記靴底の前端から後端に至る距離の２５乃至４５パーセントに設定し、且つ、前記孔列どうしの距離を前記孔列近傍における前記靴底靴幅の２５パーセント以下に設定してあり、
前記ストラップは、足の指先部を固定するための前方側ストラップと足の踵部を固定するための後方側ストラップとからなり、前記前方側ストラップと前記後方側ストラップとは連結帯により連結され、
前記前方側ストラップは、指先部側固定帯（２ｂ）は外側に一端が靴底（１）に固着され、他端が解放可能な外側指先部側固定帯（２ｂＬ）と内側に一端が靴底（１）に固着され他端が解放可能な内側指先部固定帯（２ｂＲ）とからなり、
前記後方側ストラップは、踵側足固定用帯（２ａ）は外側に一端が靴底（１）に固着され、他端が解放可能な外側踵部側固定帯（２ａＬ）と内側に一端が靴底（１）に固着され他端が解放可能な内側踵部側固定帯（２ａＲ）、及び前記外側踵部側固定帯（２ａＬ）と前記内側踵部側固定帯（２ａＲ）とを連結し踵の上部を固定する帯とからなり、
前記連結帯（２ｃ）は、前記外側踵部側固定帯（２ａＬ）と前記外側指先部側固定帯（２ｂＬ）とを前後方向に上部のみで連結している
ことを特徴とするサンダル。
【請求項２】
請求項１に記載のサンダルであり、
前記孔列のピッチは１４ｍｍ以下である
ことを特徴とするサンダル。
【発明の詳細な説明】
【０００１】
【産業上の利用分野】
本発明は、クリートを取り付けることができるサンダルに関する。さらに詳しくは、歩行にも適しクリートを取り付ければ自転車用のサンダルとしても用いることができるサンダルに関する。
【０００２】
【従来の技術】
自転車は、ますます軽量化される。軽量化及び変速機機能の向上により負荷が軽減され、自転車のスポーツ化が促進される。負荷が軽減されるとともに、自転車用靴の改良も日進月歩に行われている。脚力エネルギー損失の軽減は、スポーツ車にとって重要な要素である。脚力エネルギー損失の軽減のために、クリート付き自転車用靴が知られている（例えば、特開平３−２５４７０２）。このような自転車用靴には、靴そのものの剛性と靴・足の一体性が要請される。靴の剛性は、硬質の靴底により確保し、靴・足の一体性は靴の周部を足に締め付けることにより確保している。
【０００３】
【発明が解決しようとする課題】
自転車のスポーツ化は、自転車による出かけ先で利便性を要求する。例えば、遠出先での自転車靴の歩行性が要求される。夏季に遠出先で従来の自転車用靴を歩行用としても用いると、足が蒸れる。
【０００４】
本発明はこのような技術的背景に基づいてなされたものであり、下記目的を達成する。
【０００５】
本発明の目的は、サンダル化しクリートを取り付けることができるサンダルを提供することにある。
【０００６】
本発明の他の目的は、剛性を確保したままサンダル化しクリートを取り付けることができるサンダルを提供することにある。
【０００７】
本発明の更に他の目的は、剛性及び一体性を確保したままサンダル化しクリートを取り付けることができるサンダルを提供することにある。
【０００８】
【課題を解決するための手段】
前記課題を解決するために次のような手段を採る。
【００１２】
【課題を解決するための手段】
この発明１のサンダルは、靴底とストラップからなるサンダルであり、
前記靴底はクリートを取りつけるためのクリート取付孔を有し、
前記クリート取付孔の近傍部分は、
前記靴底の中央前方にあり前記靴底の靴底面より凹んであり、前記クリート取付孔は列状であり、
前記クリート取付孔の孔列は２列であり、
前記靴底の前端から前記孔列前後方向の中心点までの距離を前記靴底の前端から後端に至る距離の２５乃至４５パーセントに設定し、且つ、前記孔列どうしの距離を前記孔列近傍における前記靴底靴幅の２５パーセント以下に設定してあり、
前記ストラップは、足の指先部を固定するための前方側ストラップと足の踵部を固定するための後方側ストラップとからなり、前記前方側ストラップと前記後方側ストラップとは連結帯により連結され、
前記前方側ストラップは、指先部側固定帯（２ｂ）は外側に一端が靴底（１）に固着され、他端が解放可能な外側指先部側固定帯（２ｂＬ）と内側に一端が靴底（１）に固着され他端が解放可能な内側指先部固定帯（２ｂＲ）とからなり、
前記後方側ストラップは、踵側足固定用帯（２ａ）は外側に一端が靴底（１）に固着され、他端が解放可能な外側踵部側固定帯（２ａＬ）と内側に一端が靴底（１）に固着され他端が解放可能な内側踵部側固定帯（２ａＲ）、及び前記外側踵部側固定帯（２ａＬ）と前記内側踵部側固定帯（２ａＲ）とを連結し踵の上部を固定する帯とからなり、
前記連結帯（２ｃ）は、前記外側踵部側固定帯（２ａＬ）と前記外側指先部側固定帯（２ｂＬ）とを前後方向に上部のみで連結していることを特徴とする。
【００１３】
この発明２のサンダルは、前記発明１のサンダルであり、前記孔列のピッチは１４ｍｍ以下であると良い。
【００１６】
【作用】
本発明のサンダルは、歩行用サンダルとして用いることができる。この場合、クリートを取り付けておいてよい。本発明のサンダルは、クリートを取り付けて自転車用サンダルとして用いることができる。２列の長孔にはまるクリートの角度が調整される。
【００１７】
【実施例】
次に、本発明の実施例について説明する。図１、図２及び図３は、本発明の実施例１を示しそれぞれに平面図、１部断面の正面図及び１部断面の背面図である。本発明の実施例１のクリートを取り付けることができるサンダル０は、靴底１と靴底１に固着され足を靴底１に固定するための足固定用帯又はストラップ２とからなる。靴底１は、裏面側にクリート３（図３にのみ表す）をはめ込みとりつけるためのクリート取付孔１１を有している。クリート取付孔１１は、靴底の中央前方にあり靴底面よりも凹んでいる。
【００１８】
クリート３は靴底１の接地面から下方に出ていない。このため、歩行時に足裏に違和感がない。即ち、クリート３の下端面は靴底１の接地面から下方に出ていない。靴底１は、比較的に弾性に乏しい硬質樹脂材料の芯底４と芯底４の上面及び下面に接合され芯底４を弾性的に被覆し比較的に弾性に富む軟質材料の被覆底５とを備えている。心底４は、硬質樹脂、金属などにより成形されている。被覆底５は、硬質のゴム材等により成形されている。
【００１９】
足支持用帯２は、足の踵部を固定するための後方側ストラップである踵側足固定用帯２ａと足の指先部を固定するための前方側ストラップである指先部側足固定用帯２ｂとからなる。更に足支持用帯２は、踵側足固定用帯２ａと指先部側足固定用帯２ｂとを足の前後方向に連結する連結帯２ｃからなる。
【００２０】
踵側足固定用帯２ａは左側に一端が靴底１に固着され他端が解放可能な左側踵部側固定帯２ａＬと右側に一端が靴底１に固着され他端が解放可能な右側踵部側固定帯２ａＲとからなる。指先部側固定帯２ｂは左側に一端が靴底１に固着され他端が解放可能な左側指先部側固定帯２ｂＬと右側に一端が靴底１に固着され他端が解放可能な右側指先部側固定帯２ｂＲとからなる。
【００２１】
連結帯２ｃは、当該サンダルが左足用であれば左側踵部側固定帯２ａＬと左側指先部側固定帯２ｂＬとを前後方向に連結している。踵部側固定帯２ａは、左側踵部側固定帯２ａＬの解放側と右側踵部側固定帯２ａＲの解放側とを結合するための踵側結合手段６を備える。例えば、踵側結合手段６は長穴を備えるリングであり、右側踵部側固定帯２ａＲの解放端部に縫製などの手段により固着されている。
【００２２】
指先部側固定帯２ｂは、左側指先部側固定帯２ｂＬの解放側と右側指先部側固定帯２ｂＲの解放側とを結合するための指先側結合手段７を備える。例えば、指先側結合手段７は、長穴を備えるリングであり、右側指先部側固定帯２ｂＲの解放端部に縫製などの手段８により固着されている。右側指先部側固定帯２ｂＲの解放端部は折り返され円筒状の縫製部９を縫製により形成することができる。この縫製部９に指先側結合手段７であるリングが通されている。
【００２３】
左側踵部側固定帯２ａＬは、左足用靴の靴底１の左側から立ち上がり、踵側結合手段６を通って折り返している。左側踵部側固定帯２ａＬの解放側部分の内折り返された部分の向かい合う側にはマジックファスナ（又はベルクロファスナ・登録商標）が固着されている。左側指先部側固定帯２ｂＬは、左足用靴の靴底１の左側から立ち上がり、指先側結合手段７を通って折り返している。左側指先部側固定帯２ｂＬの解放側部分の内折り返された部分の向かい合う側にはマジックファスナ（又はベルクロファスナ・登録商標）が固着されている。
【００２４】
以上の説明は左足用のサンダルについてのものであるが、右足用のサンダルは、左足用のサンダルと鏡面対称である。
【００２５】
図２，３に示すように、芯底４は踵側の１部を除けば下方に凸状に僅かに湾曲している。芯底４は全体に湾曲しており、変曲点Ｐを有している。この湾曲は足の指先側部分の下方面に沿うような曲面である。この凸曲面の下端点付近の位置に、クリートをはめ込み取り付けるためのクリート取付孔１１が開けられている。底面図である図３に示すように、被覆底５の下側部に窓１２が開けられ芯底４の下端面が露出している。
【００２６】
芯底４の露出部分４ａにクリート取付孔１１が開けられている。露出部分４ａに下端面から上端面が圧着するクリート３が移動・回転自在に固定されている。クリート３は、複数の６角ボルト１３と図に表れていないナットにより芯底４に固定されている。クリート３は、靴底１に対して前後方向に移動させて取り付けることができ、多少であるが前後方向に対する角度を変更することができる。クリート３は、靴底１の下端面から下方には出ていない。
【００２７】
図４に示すように、クリート取付孔１１は、靴の前後方向に延びる長孔に形成されている。クリート取付孔１１は、２つの長孔からなり列状に形成され２列である。２列のクリート取付孔１１は、長孔に限られず丸孔、円形孔、楕円形孔が島状に前後方向に並ぶ列孔でよい。２本のクリート取付ボルト１３のクリート取付孔１１を通る部分は、クリート取付孔１１の横幅（前後方向に直交する方向を横方向という）よりそれぞれに小さい。２列の列孔のピッチ即ち２列の列孔の横方向の中心間距離は、１４ｍｍに小さく設定されている。靴底の前端から孔列前後方向の中心点までの距離を靴底の前端から後端に至る距離の２５乃至４５パーセントに設定し、且つ、孔列どうしの前記距離をその孔列近傍における靴底靴幅の２５パーセント以下に設定されている。
【００２８】
このため、クリート取付孔１１の面積は小さいので靴底の強度を損なわない。また、クリート３を傾けて靴底に固定する場合、前記ピッチが小さいのでクリート取付ボルト１３とクリート取付孔１１との間の隙間が小さくても、クリート３とクリート取付孔１１との間の角度は、比較的に大きくすることができる。このような大きい取付角度による固定位置調整は、自転車の乗り手にとって好都合である。
【００２９】
図４，５，６，７，８，９，１０は、芯底４の構造を詳細に示している。図５は、図４のＶ−Ｖ線断面図である。図６，７，８，９，１０は、図１１のＶＩ−ＶＩ線、ＶＩＩ−ＶＩＩ線、ＶＩＩＩ−ＶＩＩＩ線、ＩＸ−ＩＸ線、Ｘ−Ｘ線における側面断面図である。図５に示すように、芯底４は変曲点Ｐ（又は変曲点Ｐを含む水平線）の近傍領域で厚さが最大である。芯底４は、図６，７に示すように、前方部（変曲点Ｐよりも指先側の部分）で幅が最大になる。
【００３０】
芯底４は、図９，１０に示すように、後方部（変曲点Ｐよりも踵側の部分）で幅が最小になる。心底４は全体的に凹状である。即ち、図６〜１０に示すように、左右側が上向きである。幅が最大になる位置にクリート結合用のクリート取付孔１１が開けられている。心底４は、中心領域の裏側で前後方向に延びる帯状領域２１は、その左右側よりも厚さが厚く形成されている。変曲点Ｐの前後方向の近傍領域では、心底４は内側（図１１で下側）が外側より薄く形成されている。
【００３１】
左側指先部側固定帯２ｂＬの解放部の自由端を指先側結合手段７に通して折り曲げる。折り曲げられた左側指先部側固定帯２ｂＬの対向面側のファスナを合わせることにより、左側指先部側固定帯２ｂＬと右側指先部側固定帯２ｂＲとを合着させて緊張させることができる。折曲位置を変えることにより、緊張度を調整することができる。
【００３２】
左側踵部側固定帯２ａＬの解放部の自由端を踵側結合手段６に通して折り曲げる。折り曲げられた左側踵部側固定帯２ａＬの対向面側のファスナを合わせることにより、左側踵部側固定帯２ａＬと右側踵部側固定帯２ａＲとを合着させて緊張させることができる。折曲位置を変えることにより、緊張度を調整することができる。
【００３３】
このように緊張度を調整して足の指先部及び踵部を踵側足固定用帯２ａ及び指先部側固定帯２ｂにより靴底１に密着させ固定する。このような密着固定状態のサンダルを履いて自転車に乗り、クリート３を自転車のペダルの所定位置にはめ込む。漕ぎ力により靴底１は、変曲点を中心にさらに湾曲しようとするが、周期的に強弱が変動する漕ぎ力が弱くなると同時に芯底４は硬質であるため剛性があり瞬発的に元の形に復元する。
【００３４】
このような湾曲力が作用し芯底４が湾曲しかけ連結部２ｃが伸びようとするが、伸びにくい材質で作られている連結部２ｃの張力により芯底４の変形が押さえられる。自転車から降りて歩行する場合に、靴底１の下端面から下方には出ていないクリートは歩行の邪魔にならない。空気流れがよいサンダルであるため、スポーツ用靴特に夏季に用いるスポーツ用靴としてふさわしい。
【００３５】
図６〜１０に示す構造によると、中央部が左右側部よりも厚いので、全体に構造部材として強靭であり、弾力性も失わない。曲がりの中心部で厚いので、曲げにも強い。
【００３６】
【発明の効果】
この発明のクリートつきサンダルは、剛性が高く復元性が良いので、エネルギーロスが少ない。自転車用靴として歩行用靴として両用できる。緊張度の調整が容易である。クリート取付角度範囲が広い。
【図面の簡単な説明】
【図１】図１は、本発明のクリート孔つきサンダルの実施例１を示す正面図である。
【図２】図２は、図１の平面図である。
【図３】図３は、図２の底面図である。
【図４】図４は、本発明のクリートつきサンダルの芯底４の実施例１を示す平面図である。
【図５】図５は、図４のＶ−Ｖ線断面図である。
【図６】図６は、図１１のＶＩ−ＶＩである。
【図７】図７は、図１１のＶＩＩ−ＶＩＩ線断面図である。
【図８】図８は、図４のＶＩＩＩ−ＶＩＩＩ線断面図である。
【図９】図９は、図４のＩＸ−ＩＸ線断面図である。
【図１０】図１０は、図４のＸ−Ｘ線断面図である。
【図１１】図１１は、図５の背面図である。
【符号の説明】
１…靴底
２…足固定用帯
３…クリート
４…芯底
５…被覆底
２ａ…踵側足固定用帯
２ｂ…指先部側足固定用帯
２ａＬ…左側踵部側固定帯
２ａＲ…右側踵部側固定帯
２ｂＬ…左側指先部側固定帯
２ｂＲ…右側指先部側固定帯
２１…帯状領域
【図１】
0003590141.tif 000002
【図２】
0003590141.tif 000003
【図３】
0003590141.tif 000004
【図４】
0003590141.tif 000005
【図５】
0003590141.tif 000006
【図６】
0003590141.tif 000007
【図７】
0003590141.tif 000008
【図８】
0003590141.tif 000009
【図９】
0003590141.tif 000010
【図１０】
0003590141.tif 000011
【図１１】
0003590141.tif 000012